(57)【特許請求の範囲】
【請求項１】
透光性の表示部を有する表示パネルと、
この表示パネルの背後であって前記表示部の直下を外れた位置に配置される光源と、
前記表示パネルの背後に配置され、前記光源の光を前記表示パネル側に反射する反射体とを備え、
前記反射体の少なくとも前記表示部に対応する領域に、前記表示パネルに対向すると共に前記光源から遠ざかるに従って前記表示パネルに近接する反射面を設け、この反射面が所定の中間面を介して離間する少なくとも第１の反射面と第２の反射面とからなり、
これら第１，第２の反射面が前記表示パネルに対して所定の傾斜角を有する傾斜面であって、前記第１の反射面よりも前記第２の反射面が前記光源から遠い位置に配置され、
前記第１の反射面の前記傾斜角よりも前記第２の反射面の前記傾斜角が大きいことを特徴とする照明装置。
【請求項２】
前記中間面が前記表示パネルと略平行に延びることを特徴とする請求項１記載の照明装置。
【請求項３】
前記表示パネルが所定の駆動装置により軸回り回転する指針と組み合わされて指針式表示部を構成する目盛板からなり、前記表示部が前記指針の回転動作に応じて配列された計測値表示部からなることを特徴とする請求項１または請求項２に記載の照明装置。
【請求項４】
前記表示部が少なくとも前記第１の反射面に対応する第１の表示部と前記第２の反射面に対応する第２の表示部とからなることを特徴とする請求項１から請求項３のうち何れか一つに記載の照明装置。
【請求項５】
前記反射面と前記表示パネルとの間に空間部が形成されることを特徴とする請求項１から請求項４のうち何れか一つに記載の照明装置。
【請求項６】
前記光源から前記空間部を経て前記反射面に向かう照明経路中に前記光源の光を前記反射面側に反射する反射部を設けたことを特徴とする請求項５記載の照明装置。
【請求項７】
前記光源から前記空間部に至る照明経路中に前記光源の光を前記空間部に導く導光体を設けたことを特徴とする請求項６記載の照明装置。
【発明の詳細な説明】
【０００１】
【発明の属する技術分野】
本発明は、透光性の表示部を備えた表示パネルをバックライト照明する照明装置に関し、例えば車両用コンビネーションメータに適用される照明装置に関する。
【０００２】
【従来の技術】
この種の照明装置として例えば特開平９−２１６５５号公報に開示の照明装置が知られている。この照明装置は、ダイヤル板からなる表示パネルの背面に板状の導光体を沿わせて配置し、この導光体の背面に反射体を沿わせて配置し、導光体の一端に表面実装型の発光ダイオードからなる光源を配置し、この光源からの光を導光体並びに反射体を通じて表示パネルに導き、表示パネルをバックライト照明するものである。
【０００３】
この照明装置は、発光ダイオードからなる点状光源を用いたバックライト照明構造として装置の薄型化を図る点で有利であるが、表示パネルと反射体との間の略全域に渡って導光体を介在させる構造であるため、反射体による十分な光拡散作用を得ることができず、照明ムラが生じやすい傾向がある。
【０００４】
一方、例えば特開平７−５５５１１号公報に開示されるように、表示パネルの背後に光源から遠ざかるに従って表示パネルに近接する円弧状の反射体を配置し、この反射体を通じて光源からの光を表示パネル側に反射させることにより、導光体を用いることなく、表示パネルをバックライト照明する構造も知られている。
【０００５】
この構造によれば、反射体による光拡散作用を生かして表示パネルを照明できることから、照明の均一化には有利であるが、表示部を含む表示パネルの特定領域以外の広い範囲に反射光が届いてしまい、表示部を効率よく照明するには不利であり、表示部の高輝度照明が要求される装置への適用は困難であった。
【０００６】
このような事情に対処する対策案として、例えば図１０に示す構造が考えられる。すなわち図１０記載の照明装置は、表示パネル０１の背面に空間部０２を隔てて反射体０３を配置し、この反射体０３の表示部０４に対向する箇所に、光源０５から遠ざかるに従って表示パネルに近接する反射面０６を部分形成し、この反射面０６を表示パネル０１に沿う光源０５からの光導入経路に応じて、表示パネル０１の板面に対し略４５度に設定したものである。このように構成することにより、表示部０４に反射光を集中させることが可能となると共に、反射光が表示パネル０１に対し面直方向の光線になりやすいため、照明効率を向上させることができる。
【０００７】
【発明が解決しようとする課題】
しかしながら、図１０記載の照明装置の場合、反射面０６の傾斜角を４５度付近に設定すると最も照明効率を高くできるが、傾斜角が４５度に近くなる程、反射面０６に対向する表示パネルの対向領域Ｗが狭くなるため、表示部０４の大きさや配置等によっては、その全域もしくは必要領域をカバーできないという問題がある。また傾斜角を小さくすれば、表示パネル０１に対する対向領域を大きくできるが、傾斜角が小さくなる程、反射光が面直方向の光線となりにくく、照明効率が低下するという問題がある。また照明効率上、好適な傾斜角（略４５度）を維持しつつ、対向領域Ｗを広くするには、反射面０６を奥行き方向（表示パネル０１とは反対側）に延ばすしかなく、装置の大型化を避けられないという問題がある。
【０００８】
そこで、本発明は、反射面の構造を工夫することにより、表示部を含む表示パネルの必要領域を効率良く照明することができる照明装置を提供することを主な目的としている。
【０００９】
【課題を解決するための手段】
また本発明は前記目的を達成するため、透光性の表示部を有する表示パネルと、この表示パネルの背後であって前記表示部の直下を外れた位置に配置される光源と、前記表示パネルの背後に配置され、前記光源の光を前記表示パネル側に反射する反射体とを備え、前記反射体の少なくとも前記表示部に対応する領域に、前記表示パネルに対向すると共に前記光源から遠ざかるに従って前記表示パネルに近接する反射面を設け、この反射面が所定の中間面を介して離間する少なくとも第１の反射面と第２の反射面とからなり、これら第１，第２の反射面が前記表示パネルに対して所定の傾斜角を有する傾斜面であって、前記第１の反射面よりも前記第２の反射面が前記光源から遠い位置に配置され、前記第１の反射面の前記傾斜角よりも前記第２の反射面の前記傾斜角が大きいことを特徴とする。
【００１０】
また本発明は、前記中間面が前記表示パネルと略平行に延びることを特徴とする。
【００１３】
また本発明は、前記表示パネルが所定の駆動装置により軸回り回転する指針と組み合わされて指針式表示部を構成する目盛板からなり、前記表示部が前記指針の回転動作に応じて配列された計測値表示部からなることを特徴とする。
【００１４】
また本発明は、前記表示部が少なくとも前記第１の反射面に対応する第１の表示部と前記第２の反射面に対応する第２の表示部とからなることを特徴とする。
【００１５】
また本発明は、前記反射面と前記表示パネルとの間に空間部が形成され、前記光源から前記空間部を経て前記反射面に向かう照明経路中に前記光源の光を前記反射面側に反射する反射部を設けたことを特徴とする。
【００１６】
また本発明は、前記反射面と前記表示パネルとの間に空間部が形成され、前記光源から前記空間部に至る照明経路中に前記光源の光を前記空間部に導く導光体を設けたことを特徴とする。
【００１７】
【発明の実施の形態】
本発明による照明装置は、透光性の表示部を有する各種表示板や液晶パネル等の受光型表示パネル等からなる表示パネルと、この表示パネルの背後であって表示部の直下を外れた位置に配置される任意タイプの光源と、表示パネルの背後に配置され、光源の光を表示パネル側に反射する合成樹脂や金属等の光反射性材料からなる反射体とを備えている。反射体の少なくとも表示部に対応する領域には、空間部を介して表示パネルに対向すると共に光源から遠ざかるに従って表示パネルに近接する傾斜面平面または湾曲面からなる反射面を設け、この反射面を所定の中間面を介して互いに離間する少なくとも第１の反射面と第２の反射面とで構成したものである。このように中間面を介して第１，第２の反射面を離間配置したことにより、表示部をバックライト照明する上で適切な反射面形状を確保して照明効率を高めながら、表示パネルに対する反射面の対向領域を広くでき、表示部を含む表示パネルの必要領域を効率良く照明することができる。この場合、中間面を隔てて離間する反射面の形成数は２つに限らず、任意数の反射面を形成することができる。また反射面の形状は、傾斜面や湾曲面に限らず、傾斜面と湾曲面とを組み合わせた形状であってもよい。
【００１８】
この際、中間壁を表示パネルに対し略平行に設定すると、薄型化を図る上で有利である。
【００１９】
第１，第２の反射面が表示パネルの板面に対して所定角度傾斜する傾斜面からなり、第１の反射面よりも第２の反射面が光源から遠い位置に配置される場合、第１の反射面の傾斜角よりも第２の反射面の傾斜角を大きく設定すると、光源に近い第１の反射面よりも光源から遠い第２の反射面の反射効率を高めることができ、これら第１，第２の反射面上に位置する表示部の照明バランスを確保することができる。
【００２０】
表示パネルが所定の駆動装置により軸回り回転する指針と組み合わされて指針式表示部を構成する目盛板からなり、表示部が指針の回転動作に応じて環状に配列された計測値表示部からなる場合、第１，第２の反射面を表示部に対応させて環状に設定すると有利である。
【００２１】
表示部が複数形成される場合、表示部の数に対応する反射面を形成し、各表示部と各反射部とを対応させると、照明効率を向上させる上で有利である。
【００２２】
また反射面と表示パネルとの間に空間部を形成すると、反射面を通じて光を良好に拡散反射することができ、照明の均一化に有利である。
【００２３】
また光源から空間部を経て反射面に向かう照明経路中に光源の光を反射面側に反射する反射部を設けると、反射面に対する光導入効率を高め、照明効率を向上させる上で有利である。
【００２４】
また光源から空間部に至る照明経路中に光源の光を空間部に導く導光体を設けると、反射面に対する光導入効率を高め、照明効率を向上させる上で有利である。
【００２５】
【実施例】
以下、添付図面に基づいて、本発明による照明装置を車両用のコンビネーションメータに適用した例を説明する。
【００２６】
図１から図５は、本発明の第１の実施例を示すもので、図１は車両用のコンビネーションメータを前面パネルを除いて示す正面図、図２は図１のＡ−Ａ線に沿った断面図、図３は図２の要部を一部断面で示す斜視図、図４は反射面とその周囲を拡大して示す要部断面図、図５は表示パネルを通して視認される照明意匠を示す正面図である。
【００２７】
本実施例によるコンビネーションメータは、図１、図２に示すように、回転軸１を有する計器本体２と、回転軸１を中心に回転する指針３と、この指針３の背面側（図中下側）に位置される目盛板（表示パネル）４と、この目盛板４及び指針３の前方側（図中上側）に配置される前面カバー５と、指針３の背面側（図中下側）に位置する回路基板６と、この回路基板６上に設けられ、それぞれ指針３と目盛板４を照明する光源７と、回路基板６と目盛板４との間に配置され光源７を収納する反射体８と、この反射体８と前面パネル４との間に配置される導光体９とを備えている。
【００２８】
計器本体２は、図示しないコイルへの信号供給に応じて回転軸１が軸回り回転するステッピングモータ式ゲージまたはエアコアゲージからなり、回転軸１が回路基板６を貫通して前方側に延びるように、回路基板６の背後に装着・導通接続されている。
【００２９】
指針３は、表示パネル４の板面に沿って回転軸１とは略直交する方向に延びる透光性合成樹脂からなる指示部材３１と、この指示部材３１の回転中心部の所要領域を覆う遮光性合成樹脂（例えば黒色）からなる指針カバー３２とを備え、指示部材３１の回転中心部が回転軸１に連結固定されている。
【００３０】
目盛板４は、合成樹脂からなる基板に、透光性着色層（例えば白色）からなる表示部４１，４２と、遮光性着色層（例えば黒色）からなる地部４３と、明色系着色層（例えば白色）からなる反射層４４とをスクリーン印刷等の手段にて印刷形成してなり、この場合、表示部４１，４２と地部４３が前記基板の前面側に形成され、反射層４４は前記基板の背面に形成され、さらに地部４３と反射層４４は、表示部４１，４２を除く前記基板領域に一様に形成されている。この場合、反射層４４は、反射体８の後述する反射面との間に形成される空間部内に光を拡散反射するもので、これにより表示部４１，４２に到達する光量を増加させ、照明効率を高める機能を有している。
【００３１】
表示部４１，４２は、共に指針３の回転動作に応じて円弧状に複数配置される文字部からなる第１の表示部４１と、目盛部からなる第２の表示部４２とからなり、これら第１，第２の表示部４１，４２は、互いに所定の間隔を隔てて第１の表示部４１が第２の表示部４２の内側に位置するように設けられている。
なお目盛板４の回転軸１に対応する箇所には、回転軸１と指針３との連結を可能とする貫通孔４５が形成されている。
【００３２】
前面カバー５は、光源７の非点灯時には、例えば、かろうじて内部が視認し得る程度の透過率を有する暗色系の合成樹脂（スモーク材）よりなり、コンビネーションメータの視認面略全体を覆っている。
【００３３】
回路基板６は、例えばガラスエポキシ樹脂等からなる硬質の印刷回路基板で、計器本体２，光源７の他、これら計器本体２や光源７を含む各種電装部品を制御・駆動する電子・電気回路を搭載している。
【００３４】
光源７は、指針３の指示部材３１と目盛板４の表示部４１，４２をバックライト照明する複数の発光ダイオードからなり、指示部材３１を照明する第１の光源７１と、表示部４１，４２を照明する第２の光源７２とで構成され、第２の光源７２は、表示部４１，４２の直下を外れた位置であって、表示部４１，４２とは所定距離、目盛板４の板面方向に離間した位置に配置されている。
【００３５】
反射体８は、例えば明色系、好ましくは白色系の色調を有する合成樹脂からなり、光源７からの光を後述する筒状部及び反射面で反射し、指針３，目盛板４に導く照明部品としての機能に加えて、回路基板６と目盛板４とを結合する支持体としての機能や光源７と導光体９を収納もしくは保持するケース体としての機能を有している。
【００３６】
この反射体８には、回転軸１の周囲を取り巻くように回路基板６と目盛板４との間を回転軸１の軸方向に延びると共に第１の光源７１を収納し、指針３を照明する第１の照明室８１を形成する筒状部８２と、この筒状部８１の外側に位置し且つ筒状部８１との間で第２の光源７２を収納する第２の照明室８３を形成する環状の仕切部８４と、この仕切部８４から連続して外周に延び、目盛板４との間で表示部４１，４２を照明する第３の照明室（空間部）８５を形成する反射壁８６とを有し、第２の照明室８３と第３の照明室８５との中間部分に導光体９が配置されている。
【００３７】
導光体９は、例えば透光性合成樹脂よって、断面形状が略「Ｌ」字状のリング体として形成され、第２の照明室８３内を第２の光源７２に向け回転軸１の軸方向に沿って延びる第１の壁部９１と、第３の照明室８５内を反射体８の反射壁８６に向け目盛板４の板面方向に沿って延びる第２の壁部９２と、この第２の壁部９２と第１の壁部９１との連結部外側に形成される導光体反射部９３とを有し、第１の壁部９１の端面に形成された受光面９４より第１の壁部９１内に第２の光源からの光を導入し、その光を導光体反射部９３を通じて第２の壁部９２側に反射し、第２の壁部９２の端面に形成された照射面９５を通じて反射壁８６の内面と導光体９との間に位置する第３の照明室８５内に照射するもので、この場合、導光体９は、第２，第３の照明室８３，８５を区画している。
【００３８】
照射面９５を通じて照明室８５内に放射された光は、反射体８の反射壁８６内面を通じて目盛板４側に反射され、表示部４１，４２をバックライト照明するが、本実施例の場合、反射壁８６は、導光体９の第２の壁部９２または目盛板４の板面方向に延びる底壁部と、この底壁部から外側に向け段部８６ａを介して屈曲形状に延びる傾斜壁とからなり、この傾斜壁の内壁面を利用して、第２の光源７２から遠ざかるに従って目盛板４に近接する傾斜平面からなる反射面８６１，８６２が設けられている。
【００３９】
この反射面８６１，８６２は、本実施例の場合、第１の表示部４１に対向する第１の反射面８６１と、第２の表示部４２に対向する第２の反射面８６２とからなり、これら第１，第２の反射面８６１，８６２の間には、段部８６ａの内壁面を利用してこれら反射面８６１，８６２どうしを目盛板４の板面方向に沿って離間させる中間面８６３が設けられ、この中間面８６３は、第１，第２の表示部４１，４２間に位置する地部４３領域に対向し、目盛板４の板面方向に対し略平行な面に形成されている。なお第１，第２の反射面８６１，８６２と中間面８６３は、図３に示すように、第１，第２の表示部４１，４２の配列形状に応じて円弧状の面に設定されている。
【００４０】
そして照明室８５内に放射された光のうち、第１の反射面８６１を通じて反射された光が主として第１の表示部４１をバックライト照明し、第２の反射面８６２を通じて反射された光が主として第２の表示部４２をバックライト照明するよう設定され、このように本実施例では、各表示部４１，４２に各反射面８６１，８６２に対応する構成となっている。
【００４１】
第１，第２の反射面８６１，８６２の目盛板４の板面方向に対する傾斜角θ１，θ２（図４参照）は、第２の光源７２からの距離に応じて互いに異なる角度に設定され、本実施例では（第２の光源よりも）第２の光源に近い第１の反射面８６１の傾斜角θ１を略３０度とし、（第１の反射面８６１よりも）第２の光源７２から遠い第２の反射面８６２の傾斜角θ２を略４５度としている。
【００４２】
これは、第２の光源７２から遠い第２の反射面８６２の傾斜角θ２を、第２の光源７２に近い第１の反射面８６１よりも大きくして４５度に近づけることにより、第２の反射面８６２で目盛板４側に反射される反射光をなるべく目盛板４の面直方向（目盛板４の板面方向に対し直交する方向）に沿わせ、これにより第２の反射面８６２の第２の表示部４２に対する反射効率を、第１の反射面８６２の第１の表示部４１に対する反射効率よりも高めて、第２の光源７２からの距離に応じた第１，第２の表示部４１，４２どうしの輝度差を低減する目的がある。なお、このような反射面８６１，８６２の傾斜角設定は、例えば表示部４１，４２との距離、表示部４１，４２自体の大きさや必要輝度等の条件に応じて適宜設定が可能である。
【００４３】
このように中間面８６３を介して第１，第２の反射面８６１，８６２を離間配置し、各表示部４１，４２に対応させたことにより、各表示部４１，４２を良好に照明する上で適切な反射面構造を維持しつつ、目盛板４に対する反射面８６１，８６２の対向領域Ｗを広くすることが可能となる。
【００４４】
なお第１，第２の光源７１，７２の点灯により形成される指針３（指示部材３１）と目盛板４の表示部４１，４２の発光表示像は、図５に示すように、これら発光表示像が前面カバー５を通して暗色の背景中に浮かぶように視認される。
【００４５】
以上のように、本実施例では、透光性の表示部４１，４２を有する目盛板（表示パネル）４と、この目盛板４の背後であって表示部４１，４２の直下を外れた位置に配置される光源７２と、目盛板４の背後に配置され、光源７２の光を目盛板４側に反射する反射体８とを備えており、表示部４１，４２を含む目盛板４領域に対応する反射体８領域に、目盛板４に対向すると共に光７２源から遠ざかるに従って目盛板４に近接する反射面８６１，８６２を設け、この反射面８６１，８６２を中間面８６３を介して離間する第１の反射面８６１と第２の反射面８６２とで構成したことにより、表示部４１，４２を照明する上で適切な反射面形状を維持しながら、目盛板４に対する対向領域Ｗを広くすることができ、表示部８６１，８６２を含む目盛板４の必要領域を効率良く照明することができる。
【００４６】
また本実施例では、中間壁８６３を表示パネル４の板面方向に対して略平行に設定したことにより、目盛板４とは離間する反射体８の奥行き方向の寸法を減少させることができ、照明装置の薄型化を図ることができる。
【００４７】
また本実施例では、第１，第２の反射面８６１，８６２が目盛板４の板面に対して所定角度傾斜する傾斜面から構成されており、第２の光源７２に近い第１の反射面８６１の傾斜角θ１よりも第２の光源７２に遠い第２の反射面８６２の傾斜角θ２を大きく設定したことにより、第２の光源７２に近い第１の反射面８６１よりも第２の光源７２から遠い第２の反射面８６２の反射効率を高めることができ、これにより表示部４１，４２の照明バランスを保持することができる。
【００４８】
また本実施例では、指針３の回転動作に応じて文字部と目盛部とでなる２種類の表示部４１，４２が目盛板４上に形成され、これら表示部４１，４２の各々に第１の反射面８６１と第２の反射面８６２とを対応（対向）させたことにより、目盛板４の必要領域を効率的に照明することができる。
【００４９】
また本実施例では、反射面８６１，８６２と目盛板４との間に空間部となる第３の照明室８５を形成したことにより、反射面８６１，８６２を通じて光を良好に拡散反射することができ、照明ムラを低減することができる。
【００５０】
また本実施例では、第２の光源７２から空間部となる第３の照明室８５に至る照明経路（第２の光源７２から第２の照明室８３を経て第３の照明室８５に至る照明経路）中に、第２の光源７２の光を第３の照明室８３に導く導光体９を設けたことにより、反射面８６１，８６２に対する光導入効率を高め、照明効率を向上させることができる。
【００５１】
図６は本発明の第２の実施例を示す要部断面図であり、本実施例では、反射体８の反射壁８６を利用して形成される第１，第２反射面８６１，８６２の双方を二次曲線をベースとした湾曲面に形成し、段部８６ａを利用して形成される中間面８６３を緩やかな丸みを帯びて第１，第２反射面８６１，８６２をつなぐ円弧面に形成したものである。この場合、中間面８６３は、目盛板４の板面方向に延びる面を含むように形成されている。また本実施例では、前記第１の実施例にて採用した導光体９に替えて、筒状部８２の外周に、第２の光源７２に対向する円錐面形状の傾斜面からなる反射部８２１を形成し、この反射部８２１を通じて第２の光源７２からの光を、筒状部８２と各反射面８６１，８６２との間に渡って形成される空間部内に反射させ、その光を各反射面８６１，８６２にて目盛板４側に反射させて表示部４１，４２をバックライト照明するものである。
【００５２】
このように構成された本実施例によっても、前記第１の実施例と同様な効果を期待することができる。また特に本実施例では、第２の光源７２から空間部を経て反射面８６１，８６２に向かう照明経路中に、第２の光源からの光を反射面８６１，８６２側に反射する反射部８２１を設けたことにより、反射面８６１，８６２に対する光導入効率を高め、照明効率を向上させることができると共に、前記第１の実施例にて採用した導光体９を削減することで、軽量化並びに部品点数の削減を達成することができる。
【００５３】
図７は本発明の第３の実施例を示す要部断面図であり、本実施例では、第１の反射面８６１を傾斜平面とすると共に第２の反射面８６２を二次曲線をベースとした湾曲面に形成し、また中間面８６３を第１，第２反射面８６１，８６２をつなぐ平面に形成したものである。
【００５４】
このように構成された本実施例によっても、前記第１，第２の実施例と同様な効果を期待することができる。
【００５５】
図８は本発明の第４の実施例を示す要部断面図であり、本実施例では、目盛板４に、指針３の回転動作に応じて第１〜第３の表示部４１０〜４３０を所定間隔を隔てて配置し、これら第１〜第３の表示部４１０〜４３０のそれぞれに対応するよう反射壁８６に、第１〜第３の反射面８７１〜８７３を形成し、且つこれら反射面８７１〜８７３を複数の中間面８７４を介して離間させたものであり、かかる実施例によっても、前記第１〜第３の実施例と同様な効果を期待することができる。
【００５６】
図９は本発明の第５の実施例を示す要部断面図であり、本実施例では、表示パネルが液晶パネル４０１と、合成樹脂製の印刷パネル（表示パネル）４０２とに分割形成され、液晶パネル４０１それ自体にて第１の表示部４１が形成されると共に、印刷パネル４０２の所定箇所には、所定の図柄等からなる透光性の第２の表示部４２が形成されている。また反射体８には光源７に対向する反射部８３１と、第１の表示部８６１と第２の表示部８６２のそれぞれに対応する第１，第２の反射面８６１，８６２と、これら第１，第２の反射面８６１，８６２間に形成される中間面８６３とが形成され、光源７からの光を反射部８３１を通じて反射部８３１と反射面８６１，８６２との間に形成される空間部内に反射させ、その光を反射面８６１，８６２を通じて液晶パネル４０１と印刷パネル４０２側に反射させ、第１，第２の表示部４１，４２をバックライト照明する構成となっている。
【００５７】
このように構成された本実施例によっても前記第１〜第４の実施例と同様な効果を期待できる。
【発明の効果】
以上、本発明により、初期の目的を達成することができ、表示部を含む表示パネルの必要領域を効率良く照明することができる照明装置を提供することができる。
【図面の簡単な説明】
【図１】本発明の第１の実施例を示す正面図。
【図２】図１のＡ−Ａ線に沿った断面図。
【図３】図２の要部を一部断面で示す斜視図。
【図４】反射面とその周囲を拡大して示す要部断面図。
【図５】表示パネルを通して視認される同上実施例の照明意匠を示す正面図。
【図６】本発明の第２の実施例を示す要部断面図。
【図７】本発明の第３の実施例を示す要部断面図。
【図８】本発明の第４の実施例を示す要部断面図。
【図９】本発明の第５の実施例を示す要部断面図。
【図１０】従来例を示す断面図。
【符号の説明】
１  回転軸
２  計器本体
３  指針
４  目盛板（表示パネル）
５  前面パネル
６  回路基板
７  光源
８  反射体
９  導光体
３１  指示部材
３２  指針カバー
４１，４１０  第１の表示部
４２  ４２０  第２の表示部
４３  地部
４４  反射層
４５  貫通孔
７１  第１の光源
７２  第２の光源
８１  第１の照明室
８２  筒状部
８３  第２の照明室
８４  仕切壁
８５  第３の照明室（空間部）
８６  反射壁
８６ａ  段部
４０１  液晶パネル（表示パネル）
４０２  印刷パネル（表示パネル）
４３０  第３の表示部
８２１，８３１  反射部
８６１，８７１  第１の反射面
８６２，８７２  第２の反射面
８６３，８７４  中間面
８７３  第３の反射面
９１  第１の壁部
９２  第２の壁部
９３  導光体反射部
９４  受光面
９５  照射面
Ｗ  対向領域
θ１，θ２  傾斜角
【図１】
0003599184.tif 000002
【図２】
0003599184.tif 000003
【図３】
0003599184.tif 000004
【図４】
0003599184.tif 000005
【図５】
0003599184.tif 000006
【図６】
0003599184.tif 000007
【図７】
0003599184.tif 000008
【図８】
0003599184.tif 000009
【図９】
0003599184.tif 000010
【図１０】
0003599184.tif 000011